(57)【要約】【課題】  部品点数の増加を抑えたまま、電子ビューファインダへの衝撃を小さく抑えることができる光学機器およびその光学機器の組立方法を提供する。【解決手段】  液晶表示装置２１とレンズ２２とケース２３と接眼レンズ２４とを有する電子ビューファインダ２０と、電子ビューファインダ２０を収容して保持する保持部３１と電子ビューファインダ２０を覗くための目が当てがわれるアイカップ部３２とを有する弾性部材３０を備え、弾性部材３０をデジタルカメラの筐体１０に支持し、その弾性部材３０で電子ビューファインダ２０を筐体１０に非接触な状態に保持する。【選択図】  図３
2009086316.tif 000002
【特許請求の範囲】
【請求項１】
機器筐体と、
画像信号に基づく画像を表示する表示画面および該表示画面に表示された画像を視認させるための光学部材がケース内に組み込まれた電子ビューファインダと、
前記電子ビューファインダを収容して保持する保持部および該電子ビューファインダを覗くための目が当てがわれるアイカップ部とを有する弾性部材とを備え、
前記弾性部材は、前記機器筐体に支持されるとともに、前記電子ビューファインダを該機器筐体に非接触な状態に保持するものであることを特徴とする光学機器。
【請求項２】
前記機器筐体がファインダ接眼窓を有し、
前記弾性部材が、前記機器筐体の、前記ファインダ接眼窓を形成している縁を挟む該機器筐体内外双方に抜け止め用のフランジを有するとともに、前記保持部の、前記電子ビューファインダの接眼側とは反対側の背面側に該電子ビューファインダを押える固定爪が縁に形成された開口を有することを特徴とする請求項１記載の光学機器。
【請求項３】
前記固定爪を外側から押えることにより、前記弾性部材に保持された前記電子ビューファインダの抜けを防止する保持部材をさらに備えたことを特徴とする請求項２記載の光学機器。
【請求項４】
機器筐体と、
画像信号に基づく画像を表示する表示画面および該表示画面に表示された画像を視認させるための光学部材がケース内に組み込まれた電子ビューファインダと、
前記電子ビューファインダを覗くための目が当てがわれるアイカップ部を有する弾性部材とを備え、
前記ケースが、前記電子ビューファインダを前記機器筐体に固定するための固定部を有し、
前記弾性部材が、前記固定部と前記機器筐体との間に介在する介在部を有し、
前記固定部は、前記介在部を間に挟んだ状態で前記機器筐体に固定されていることを特徴とする光学機器。
【請求項５】
前記弾性部材は、前記介在部に隣接し前記固定部に係合して前記電子ビューファインダを前記アイカップ部側に引き寄せる係合部をさらに有することを特徴とする請求項４記載の光学機器。
【請求項６】
前記弾性部材は、前記ケースを構成する部材と一体成形されたものであることを特徴とする請求項４記載の光学機器。
【請求項７】
ファインダ接眼窓を有する機器筐体と、
画像信号に基づく画像を表示する表示画面および該表示画面に表示された画像を視認させるための光学部材がケース内に組み込まれた電子ビューファインダと、
前記電子ビューファインダを収容して保持する保持部、該電子ビューファインダを覗くための目が当てがわれるアイカップ部、前記機器筐体の、前記ファインダ接眼窓を形成している縁を挟む、該機器筐体内外双方に設けられた抜け止め用のフランジ、および、前記保持部の、前記電子ビューファインダの接眼側とは反対側の背面側に設けられた、該電子ビューファインダを押える固定爪が縁に形成された開口を有する弾性部材とを備えた光学機器の組立方法であって、
前記弾性部材を、前記ファインダ接眼窓に、前記フランジで該ファインダ接眼窓を形成している縁を挟むように嵌め込み、
前記開口を撓ませて該開口から前記電子ビューファインダを前記弾性部材内に収容させることを特徴とする光学機器の組立方法。
【請求項８】
機器筐体と、
画像信号に基づく画像を表示する表示画面および該表示画面に表示された画像を視認させるための光学部材がケース内に組み込まれた電子ビューファインダと、
前記電子ビューファインダを覗くための目が当てがわれるアイカップ部を有する弾性部材とを備え、
前記ケースが、前記電子ビューファインダを前記機器筐体に固定される固定部を有し、
前記弾性部材が、前記固定部と前記機器筐体との間に介在する介在部、および該介在部に隣接し前記固定部に係合して前記電子ビューファインダを前記アイカップ部側に引き寄せる係合部を有する光学機器の組立方法であって、
前記弾性部材を、前記機器筐体に嵌め込み、
前記電子ビューファインダを前記機器筐体内に配置し、
前記固定部を、前記介在部を介在させた状態で前記機器筐体に固定し、
前記係合部を前記固定部に係合させることを特徴とする光学機器の組立方法。
【発明の詳細な説明】
【技術分野】
【０００１】
本発明は、電子ビューファインダ（ＥＶＦ：Ｅｌｅｃｔｒｏｎｉｃ  Ｖｉｅｗ  Ｆｉｎｄｅｒ）を備えた光学機器、およびその光学機器の組立方法に関する。
【背景技術】
【０００２】
上述した光学機器の１つにデジタルカメラがある。このデジタルカメラには、電子ビューファインダと、その電子ビューファインダを覗くための目が当てがわれるアイカップが備えられている。電子ビューファインダには、画像信号に基づく画像を表示する液晶表示装置およびその液晶表示装置に表示された画像を視認させるためのレンズ群等の光学要素が備えられている。ここで、ユーザがデジタルカメラを誤って落としたりテーブル等にぶつけたりする場合がある。デジタルカメラの筐体には落下した場合であっても壊れないような充分な強度を持たせてあったとしても、落下等の衝撃により、電子ビューファインダの内部に配備された液晶表示装置やレンズ群等の光学要素間に位置ずれ等が発生する場合がある。その場合、電子ビューファインダの持つ光学性能を保証することは困難である。
【０００３】
そこで、例えば、電子ビューファインダを構成する接眼レンズを保持する接眼レンズ保持部と、視度補正の際に操作される操作部と、アイカップとを、弾性部材で一体成形する技術が提案されている（特許文献１参照）。また、例えば、アイカップ保持部品に接眼検知機構の保護窓を一体成形する技術が提案されている（特許文献２参照）。
【特許文献１】特開平８−２３４１１８号公報
【特許文献２】特開２００１−３３９６２７号公報
【発明の開示】
【発明が解決しようとする課題】
【０００４】
しかし、特許文献１に提案された技術では、落下等の衝撃に対して、接眼レンズは弾性部材で保護することができるものの、接眼レンズ以外の光学要素は上記弾性部材では保護されず、従って電子ビューファインダを構成する光学要素間に位置ずれ等が発生する恐れがある。
【０００５】
また、特許文献２に提案された技術では、アイカップの保持強度を高めることができ且つ接眼検知機構の誤作動および破壊を防止することはできるものの、電子ビューファインダの、落下等の衝撃に対する光学要素間の位置ずれ等を解決する点に関しては言及されていない。
【０００６】
本発明は、上記事情に鑑み、部品点数の増加を抑えたまま、電子ビューファインダへの衝撃を小さく抑えることができる光学機器およびその光学機器の組立方法を提供することを目的とする。
【課題を解決するための手段】
【０００７】
上記目的を達成する本発明の光学機器のうちの第１の光学機器は、
機器筐体と、
画像信号に基づく画像を表示する表示画面およびその表示画面に表示された画像を視認させるための光学部材がケース内に組み込まれた電子ビューファインダと、
上記電子ビューファインダを収容して保持する保持部およびその電子ビューファインダを覗くための目が当てがわれるアイカップ部とを有する弾性部材とを備え、
上記弾性部材は、上記機器筐体に支持されるとともに、上記電子ビューファインダをその機器筐体に非接触な状態に保持するものであることを特徴とする。
【０００８】
本発明の第１の光学機器では、光学機器の筐体に支持された弾性部材が電子ビューファインダを筐体に非接触な状態に保持している。このため、筐体に加わった衝撃は、弾性部材に伝達されて緩和され、その緩和された衝撃が電子ビューファインダに伝達される。従って、電子ビューファインダへの衝撃を小さく抑えることができる。また、弾性部材は、アイカップの機能と、電子ビューファインダの保持と、筐体に加わる衝撃からの保護機能とを兼ね備えているため、部品点数の増加が抑えられている。
【０００９】
ここで、上記機器筐体がファインダ接眼窓を有し、
上記弾性部材が、上記機器筐体の、上記ファインダ接眼窓を形成している縁を挟むその機器筐体内外双方に抜け止め用のフランジを有するとともに、上記保持部の、上記電子ビューファインダの接眼側とは反対側の背面側にその電子ビューファインダを押える固定爪が縁に形成された開口を有することが好ましい。
【００１０】
このようにすると、弾性部材が有する抜け止め用のフランジで、その弾性部材が筐体に嵌め込まれた状態で固定されるため、ネジ部材等の固定部品を用いることなく、弾性部材が筐体から外れることを防止することができる。また、筐体に衝撃が加わった場合であっても、弾性部材が有する固定爪で電子ビューファインダが抑えられるため、電子ビューファインダが弾性部材の開口から外れることを防止することができる。
【００１１】
また、上記固定爪を外側から押えることにより、上記弾性部材に保持された上記電子ビューファインダの抜けを防止する保持部材をさらに備えたことも好ましい態様である。
【００１２】
このように、弾性部材が有する固定爪を保持部材で押さえると、電子ビューファインダがアイカップ部側から強く押された場合であっても、固定爪によって電子ビューファインダの脱落を防ぐことができる。
【００１３】
また、上記目的を達成する本発明の光学機器のうちの第２の光学機器は、
機器筐体と、
画像信号に基づく画像を表示する表示画面およびその表示画面に表示された画像を視認させるための光学部材がケース内に組み込まれた電子ビューファインダと、
上記電子ビューファインダを覗くための目が当てがわれるアイカップ部を有する弾性部材とを備え、
上記ケースが、上記電子ビューファインダを上記機器筐体に固定するための固定部を有し、
上記弾性部材が、上記固定部と上記機器筐体との間に介在する介在部を有し、
上記固定部は、上記介在部を間に挟んだ状態で上記機器筐体に固定されていることを特徴とする。
【００１４】
本発明の第２の光学機器では、介在部を有する弾性部材が、電子ビューファインダの保持と筐体に加わる衝撃からの保護機能を兼ね備えている。このため、部品点数の増加を抑えたまま、電子ビューファインダへの衝撃を小さく抑えることができる。
【００１５】
ここで、上記弾性部材は、上記介在部に隣接し上記固定部に係合して上記電子ビューファインダを上記アイカップ部側に引き寄せる係合部をさらに有することが好ましい。
【００１６】
このようにすると、電子ビューファインダは、アイカップ部側に付勢された状態で固定される。このため、電子ビューファインダを弾性部材に密着させるように保持することができる。従って、部品寸法のばらつきに関わらず、電子ビューファインダと弾性部材との間に発生する隙間を小さく抑えることができ、ゴミ等の侵入を防止することができる。
【００１７】
また、上記弾性部材は、上記ケースを構成する部材と一体成形されたものであることも好ましい態様である。
【００１８】
このように、弾性部材を、電子ビューファインダのケースを構成する部材と一体成形すると、組立時の部品の取扱いが便利になる。
【００１９】
また、上記目的を達成する本発明の光学機器の組立方法のうちの第１の光学機器の組立方法は、
ファインダ接眼窓を有する機器筐体と、
画像信号に基づく画像を表示する表示画面およびその表示画面に表示された画像を視認させるための光学部材がケース内に組み込まれた電子ビューファインダと、
上記電子ビューファインダを収容して保持する保持部、その電子ビューファインダを覗くための目が当てがわれるアイカップ部、上記機器筐体の、上記ファインダ接眼窓を形成している縁を挟む、その機器筐体内外双方に設けられた抜け止め用のフランジ、および、上記保持部の、上記電子ビューファインダの接眼側とは反対側の背面側に設けられた、その電子ビューファインダを押える固定爪が縁に形成された開口を有する弾性部材とを備えた光学機器の組立方法であって、
上記弾性部材を、上記ファインダ接眼窓に、上記フランジでそのファインダ接眼窓を形成している縁を挟むように嵌め込み、
上記開口を撓ませてその開口から上記電子ビューファインダを上記弾性部材内に収容させることを特徴とする。
【００２０】
本発明の第１の光学機器の組立方法は、弾性部材の開口の撓みを利用して、電子ビューファインダを弾性部材内に収容する方法であるため、ネジ部材は不要であり、従って部品点数の増加を抑えたまま、電子ビューファインダへの衝撃を小さく抑えることができる。
【００２１】
さらに、上記目的を達成する本発明の光学機器の組立方法のうちの第２の光学機器の組立方法は、
機器筐体と、
画像信号に基づく画像を表示する表示画面およびその表示画面に表示された画像を視認させるための光学部材がケース内に組み込まれた電子ビューファインダと、
上記電子ビューファインダを覗くための目が当てがわれるアイカップ部を有する弾性部材とを備え、
上記ケースが、上記電子ビューファインダを上記機器筐体に固定される固定部を有し、
上記弾性部材が、上記固定部と上記機器筐体との間に介在する介在部、およびその介在部に隣接し上記固定部に係合して上記電子ビューファインダを上記アイカップ部側に引き寄せる係合部を有する光学機器の組立方法であって、
上記弾性部材を、上記機器筐体に嵌め込み、
上記電子ビューファインダを上記機器筐体内に配置し、
上記固定部を、上記介在部を介在させた状態で上記機器筐体に固定し、
上記係合部を上記固定部に係合させることを特徴とする。
【００２２】
本発明の第２の光学機器の組立方法によれば、電子ビューファインダは、アイカップ部側に付勢された状態で固定される。従って、電子ビューファインダを弾性部材に密着させるように保持することができる。このようにすることにより、部品寸法のばらつきに関わらず、電子ビューファインダと弾性部材との間に発生する隙間を小さく抑えることができるため、ゴミ等の侵入を防止することができる。
【発明の効果】
【００２３】
本発明によれば、部品点数の増加を抑えたまま、電子ビューファインダへの衝撃を小さく抑えることができる光学機器およびその光学機器の組立方法を提供することができる。
【発明を実施するための最良の形態】
【００２４】
以下、本発明の実施の形態について説明する。
【００２５】
図１は、本発明の第１の光学機器の第１実施形態のデジタルカメラを前面斜め上から見た外観斜視図である。
【００２６】
図１に示すデジタルカメラ１には、筐体１０と、その筐体１０の前面中央部に、撮影ズームレンズ１０１ａを内部に備えたズームレンズ鏡胴１０１が備えられている。また、このデジタルカメラ１の前面上部には、フラッシュ発光窓１０２ａを有する発光ユニット部１０２が備えられている。この発光ユニット部１０２は、撮影状況に応じて自動的にポップアップして、シャッタタイミングに同期してフラッシュ光を発光する。
【００２７】
また、このデジタルカメラ１の上面には、シャッタボタン１０３および電源レバー１０４が備えられている。電源レバー１０４を操作することで、このデジタルカメラ１の電源のオン，オフと、撮影モードと再生モードとの切り換えを行なうことができる。
【００２８】
さらに、このデジタルカメラ１の上面には、各種の撮影モードの切り換えを行なうことができるモードダイヤル１０５が備えられている。
【００２９】
また、このデジタルカメラ１の背面には、後述するアイカップ部を有する弾性部材３０が備えられている。
【００３０】
図２は、図１に示すデジタルカメラを背面から見た外観図である。
【００３１】
図２に示すデジタルカメラ１の背面中央部には、液晶モニタ１１１が備えられている。また、この液晶モニタ１１１の右側には、上から順に、ファインダ／モニタ切換ボタン１１２と、十字ボタン１１３およびメニュー／ＯＫボタン１１４と、ＤＩＳＰ／ＢＡＣＫボタン１１５およびフォトモードボタン１１６とが備えられている。
【００３２】
液晶モニタ１１１は、このデジタルカメラ１で被写体光を捉えて生成された画像信号に基づく画像、およびメッセージ表示用の文字データに基づくメッセージを表示する。
【００３３】
ファインダ／モニタ切換ボタン１１２は、後述する電子ビューファインダと液晶モニタ１１１のどちらを使用するのかを切り換えるためのボタンである。
【００３４】
十字ボタン１１３は、液晶モニタ１１１上にメニュー画面などが表示された場合には、その十字ボタン１１３の上部、下部、左部、右部の各部を操作することによってメニューの選択等を行なうことができる。
【００３５】
メニュー／ＯＫボタン１１４は、撮影時や再生時における各種のメニューを表示したり、選択されたメニューを決定するためのボタンである。
【００３６】
フォトモードボタン１１５は、ピクセル数，感度，色味，プリント枚数等を設定するためのボタンである。
【００３７】
ＤＩＳＰ／ＢＡＣＫボタン１１６は、ＤＩＳＰボタンおよびＢＡＣＫボタン双方の役割を担うボタンである。ＤＩＳＰボタンの役割の場合は、液晶モニタ１１１に表示された画面の状態を切り換えるためのボタンとなり、例えば撮影時に液晶モニタ１１１の表示をオン，オフしたり、再生時に文字表示をオン，オフしたりする。一方、ＢＡＣＫボタンの役割の場合は、メニュー／ＯＫボタン１１４等による操作状態を１つ前に戻したり取り消したりするためのボタンとなる。
【００３８】
また、図２に示すデジタルカメラ１の背面上部には、視度調節ダイヤル１１７と、ファインダ接眼窓１１と、アイカップ部３２を有する弾性部材３０とが備えられている。弾性部材３０としては、ゴムやエラストマ等が用いられる。
【００３９】
視度調節ダイヤル１１７は、ファインダ接眼窓１１をユーザが覗いた場合、そのファインダ接眼窓１１内の像を見やすくするために、ユーザの視度を調節するためのダイヤルである。
【００４０】
ファインダ接眼窓１１、およびアイカップ部３２を有する弾性部材３０については、図３を参照して説明する。
【００４１】
図３は、図２に示すデジタルカメラの背面上部の断面を示す図である。
【００４２】
このデジタルカメラ１には、図３に示す電子ビューファインダ２０が備えられており、ファインダ接眼窓１１は、この電子ビューファインダ２０の接眼側に備えられている。
【００４３】
電子ビューファインダ２０は、画像信号に基づく画像を表示する表示画面の役割りを担う液晶表示装置２１と、液晶表示装置２１に表示された画像を視認させるためのレンズ２２（本発明にいう光学部材の一例）と、接眼レンズ２４と、これら液晶表示装置２１，レンズ２２，接眼レンズ２４が組み込まれたケース２３とを有する。
【００４４】
また、弾性部材３０は、電子ビューファインダ２０を収容して保持する保持部３１、および、上述した、電子ビューファインダ２０を覗くための目が当てがわれるアイカップ部３２とを有する。
【００４５】
この弾性部材３０は、デジタルカメラ１の筐体１０に支持されるとともに、電子ビューファインダ２０を筐体１０に非接触な状態に保持する。尚、弾性部材３０には、電子ビューファインダ２０をデジタルカメラ１の本体内へ電気的に接続する配線用の穴（図示せず）が設けられている。
【００４６】
本発明の第１の光学機器の第１実施形態のデジタルカメラ１では、デジタルカメラ１の筐体１０に支持された弾性部材３０が、電子ビューファインダ２０を筐体１０に非接触な状態に保持している。このため、デジタルカメラ１の筐体１０に加わった衝撃は、弾性部材３０に伝達されて緩和され、その緩和された衝撃が電子ビューファインダ２０に伝達される。従って、電子ビューファインダ２０への衝撃を小さく抑えることができる。また、弾性部材３０は、アイカップの機能と、電子ビューファインダ２０の保持と、筐体１０に加わる衝撃からの保護機能とを兼ね備えているため、部品点数の増加が抑えられている。
【００４７】
図４は、本発明の第１の光学機器の第２実施形態のデジタルカメラの背面上部の断面を示す図である。
【００４８】
尚、本発明の第１の光学機器の第２実施形態のデジタルカメラの概観図は、図１，図２に示すデジタルカメラ１の概観図と同じであるため、図示省略する。
【００４９】
図４には、図３に示す電子ビューファインダ２０が示されている。尚、ここでは、電子ビューファインダ２０の構成要素は、図示省略する。
【００５０】
図４に示す筐体１０は、ファインダ接眼窓１１を有する。
【００５１】
また、弾性部材３０は、筐体１０の、ファインダ接眼窓１１を形成している縁を挟む筐体内外双方に抜け止め用のフランジ（内側フランジ３３，外側フランジ３４）を有する。また、弾性部材３０は、保持部３１の、電子ビューファインダ２０の接眼側とは反対側の背面側に、電子ビューファインダ２０を押える固定爪３５が縁に形成された開口３６を有する。
【００５２】
さらに、固定爪３５を外側から押えることにより、弾性部材３０に保持された電子ビューファインダ２０の抜けを防止する保持部材４０を備えている。
【００５３】
本発明の第１の光学機器の第２実施形態のデジタルカメラでは、弾性部材３０が有する抜け止め用の内側フランジ３３と外側フランジ３４の双方で、その弾性部材３０が筐体１０に嵌め込まれた状態で固定されている。従って、弾性部材３０が筐体１０から外れることが防止されてている。ここで、弾性部材３０を筐体１０に固定するためのネジ部材等の固定用部品は不要である。従って、部品点数の増大が抑えられているとともに組立工数が削減されている。また、弾性部材３０は、電子ビューファインダ２０を抑える固定爪３５を有するため、筐体１０に衝撃が加わった場合であっても、電子ビューファインダ２０が弾性部材３０の開口３６から外れることが防止されている。さらに、弾性部材３０が有する固定爪３５が保持部材４０で押さえられているため、電子ビューファインダ２０がアイカップ部３２側から強く押された場合であっても、固定爪３５によって電子ビューファインダ２０の脱落を防ぐことができる。
【００５４】
図５は、本発明の第２の光学機器の第１実施形態のデジタルカメラの背面上部の断面を示す図、図６は、図５に示す電子ビューファインダと弾性部材との斜視図である。
【００５５】
尚、本発明の第２の光学機器の第１実施形態のデジタルカメラの概観図は、図１，図２に示すデジタルカメラ１の概観図と同じであるため、図示省略する。
【００５６】
図５には、筐体１０と、液晶表示装置等がケース２３内に組み込まれた電子ビューファインダ２０と、アイカップ部３２を有する弾性部材３０とが示されている。また、図５および図６に示すように、ケース２３は、電子ビューファインダ２０を筐体１０に固定するための固定部２３ａを有する。一方、弾性部材３０は、この固定部２３ａと筐体１０との間に介在する介在部３７を有する。また、固定部２３ａは、介在部３７を間に挟んだ状態で筐体１０にネジ部材５０で固定される。
【００５７】
本発明の第２の光学機器の第１実施形態のデジタルカメラでは、介在部３７を有する弾性部材３０が、電子ビューファインダ２０の保持と筐体１０に加わる衝撃からの保護機能を兼ね備えている。このため、部品点数の増加を抑えたまま、電子ビューファインダ２０への衝撃を小さく抑えることができる。
【００５８】
図７は、本発明の第２の光学機器の第２実施形態のデジタルカメラの背面上部の断面を示す図である。
【００５９】
図７に示す電子ビューファインダ２０は、この電子ビューファインダ２０を固定するための固定部２３ａを有する。また、弾性部材３０は、固定部２３ａと筐体１０との間に介在する介在部３７を有する。さらに、弾性部材３０は、介在部３７に隣接し固定部２３ａに係合する係合部３８を有する。この係合部３８により、電子ビューファインダ２０はアイカップ部３２側に引き寄せられている。即ち、電子ビューファインダ２０は、アイカップ部３２側に付勢された状態で固定されている。従って、電子ビューファインダ２０を弾性部材３０に密着させるように保持することができる。このようにすることにより、部品寸法のばらつきに関わらず、電子ビューファインダ２０と弾性部材３０との間に発生する隙間を小さく抑えることができ、ゴミ等の侵入を防止することができる。
【００６０】
図８は、本発明の第２の光学機器の第３実施形態のデジタルカメラの背面上部の断面を示す図である。
【００６１】
図８に示す電子ビューファインダ２０は、液晶表示装置２１と、レンズ２２と、ケース２３と、接眼レンズ２４とを有する。ここで、弾性部材３０は、ケース２３を構成する部材２３ｂと一体成形されている。具体的には、弾性部材３０と部材２３ｂは、互いに異なる材料によって２色成形されている。また、弾性部材３０の、部材２３ｂと一体成形されている部分を除く部分が、筐体１０にネジ部材５０で固定されている。このように、弾性部材３０と部材２３ｂを２色成形して、電子ビューファインダ２０を弾性部材３０に固定する構成にすると、組立時の部品の取扱いが便利になる。
【００６２】
図９は、本発明の第１の光学機器の組立方法の一実施形態を説明するための図である。
【００６３】
本実施形態の組立方法は、前述した図４に示すデジタルカメラに適用される組立方法である。
【００６４】
先ず、弾性部材３０を、ファインダ接眼窓１１に嵌め込む。詳細には、内側フランジ３３および外側フランジ３４でファインダ接眼窓１１を形成している縁を挟むようにして、弾性部材３０をファインダ接眼窓１１に嵌め込む。
【００６５】
次に、固定爪３５が縁に形成された開口３６を撓ませて、その開口３６から電子ビューファインダ２０を弾性部材３０内に収容させる。これにより、電子ビューファインダ２０は、弾性部材３０の、ファインダ接眼窓１１近傍のガイド面で位置決めされるとともに、固定爪３５で開口３６から抜けないように保持される。また、電子ビューファインダ２０が弾性部材３０内に収容されることで、弾性部材３０の撓むスペースがなくなるため、電子ビューファインダ２０が開口３６から確実に抜けないように保持される。
【００６６】
本実施形態の組立方法は、弾性部材３０の開口３６の撓みを利用して、電子ビューファインダ２０を弾性部材３０内に収容する方法であるため、ネジ部材は不要であり、従って部品点数の増加を抑えたまま、電子ビューファインダ２０への衝撃を小さく抑えることができる。
【００６７】
図１０は、本発明の第２の光学機器の組立方法の一実施形態を説明するための図である。
【００６８】
本実施形態の組立方法は、前述した図７に示すデジタルカメラに適用される組立方法である。
【００６９】
先ず、弾性部材３０を筐体１０に嵌め込む。
【００７０】
次いで、電子ビューファインダ２０を筐体１０内に配置する。
【００７１】
さらに、電子ビューファインダ２０が有する固定部２３ａを、弾性部材３０が有する介在部３７を介在させた状態で筐体１０にネジ部材５０で固定する。これにより、弾性部材３０が有する係合部３８を固定部２３ａに係合させる。この係合部３８により、電子ビューファインダ２０はアイカップ部３２側に引き寄せられる。
【００７２】
この組立方法によれば、電子ビューファインダ２０は、アイカップ部３２側に付勢された状態で固定される。従って、電子ビューファインダ２０を弾性部材３０に密着させるように保持することができる。このようにすることにより、部品寸法のばらつきに関わらず、電子ビューファインダ２０と弾性部材３０との間に発生する隙間を小さく抑えることができるため、ゴミ等の侵入を防止することができる。
【００７３】
尚、上述した各実施形態では、本発明にいう光学機器として、デジタルカメラの例で説明したが、ビデオカメラ等であってもよく、さらに、これらに限られるものではなく、本発明にいう光学機器は、電子ビューファインダを備えた光学機器であればよい。
【図面の簡単な説明】
【００７４】
【図１】本発明の第１の光学機器の第１実施形態のデジタルカメラを前面斜め上から見た外観斜視図である。
【図２】図１に示すデジタルカメラを背面から見た外観図である。
【図３】図２に示すデジタルカメラの背面上部の断面を示す図である。
【図４】本発明の第１の光学機器の第２実施形態のデジタルカメラの背面上部の断面を示す図である。
【図５】本発明の第２の光学機器の第１実施形態のデジタルカメラの背面上部の断面を示す図である。
【図６】図５に示す電子ビューファインダと弾性部材との斜視図である。
【図７】本発明の第２の光学機器の第２実施形態のデジタルカメラの背面上部の断面を示す図である。
【図８】本発明の第２の光学機器の第３実施形態のデジタルカメラの背面上部の断面を示す図である。
【図９】本発明の第１の光学機器の組立方法の一実施形態を説明するための図である。
【図１０】本発明の第２の光学機器の組立方法の一実施形態を説明するための図である。
【符号の説明】
【００７５】
１  デジタルカメラ
１０  筐体
１１  ファインダ接眼窓
２１  液晶表示装置
２２  レンズ
２３  ケース
２３ａ  固定部
２３ｂ  部材
２４  接眼レンズ
３０  弾性部材
３１  保持部
３２  アイカップ部
３３，３４  フランジ
３５  固定爪
３６  開口
４０  保持部材
３７  介在部
３８  係合部
５０  ネジ部材
１０１  ズームレンズ鏡胴
１０１ａ  撮影ズームレンズ
１０２  発光ユニット部
１０２ａ  フラッシュ発光窓
１０３  シャッタボタン
１０４  電源レバー
１０５  モードダイヤル
１１１  液晶モニタ
１１２  ファインダ／モニタ切換ボタン
１１３  十字ボタン
１１４  メニュー／ＯＫボタン
１１５  ＤＩＳＰ／ＢＡＣＫボタン
１１６  フォトモードボタン
１１７  視度調節ダイヤル
【図１】
2009086316.tif 000003
【図２】
2009086316.tif 000004
【図３】
2009086316.tif 000005
【図４】
2009086316.tif 000006
【図５】
2009086316.tif 000007
【図６】
2009086316.tif 000008
【図７】
2009086316.tif 000009
【図８】
2009086316.tif 000010
【図９】
2009086316.tif 000011
【図１０】
2009086316.tif 000012